(57)【特許請求の範囲】
【請求項１】
媒体から得られるデータからサラウンドサウンドの源信号を抽出する抽出手段と、
該源信号をデコードして複数チャンネルの音声信号に変換する処理手段とを有し、
該処理手段は、コンピュータを操作するユーザの操作位置を中心に該表示部と略同心円上に配置される複数のスピーカによる音場を補正する補正手段を有し、
前記補正手段は、スピーカとユーザとの距離が前記源信号が想定した距離よりも短い場合に、音を小さくする補正を行うことを特徴とするコンピュータ。
【請求項２】
媒体から得られるデータからサラウンドサウンドの源信号を抽出する抽出手段と、
該源信号をデコードして複数チャンネルの音声信号に変換する処理手段とを有し、
該処理手段は、コンピュータを操作するユーザの操作位置を中心に該表示部と略同心円上に配置される複数のスピーカによる音場を補正する補正手段を有し、
前記補正手段は、スピーカとユーザとの距離が前記源信号が想定した距離よりも短い場合に、低音を強調する補正を行うことを特徴とするコンピュータ。
【請求項３】
前記表示部は１４〜１７インチのディスプレイからなり、前記同心円は前記操作位置を中心として半径が約１．０〜１．５ｍである、請求項１又は２記載のコンピュータ。
【請求項４】
前記補正手段は、前記音声信号に対して残響付加処理を施す、請求項１又は２記載のコンピュータ。
【請求項５】
前記媒体は、情報記録媒体、放送メディア及びデジタル通信メディアから選択された１つである、請求項１又は２記載のコンピュータ。
【請求項６】
コンピュータ本体と、該コンピュータ本体と接続された表示部と、コンピュータを操作するユーザの操作位置を中心に該表示部と略同心円上に配置された複数のスピーカとを備え、
該コンピュータ本体は、媒体から得られるデータから該表示部に表示する映像の源信号を抽出すると共にサラウンドサウンドの源信号を抽出する抽出手段と、該サラウンドサウンドの源信号をデコードして複数チャンネルの音声信号に変換する処理手段とを有し、
該処理手段は、コンピュータを操作するユーザの操作位置を中心に該表示部と略同心円上に配置される複数のスピーカによる音場を補正する補正手段を有し、
前記補正手段は、スピーカとユーザとの距離が前記源信号が想定した距離よりも短い場合に、音を小さくする補正を行うことを特徴とするコンピュータ。
【請求項７】
コンピュータ本体と、該コンピュータ本体と接続された表示部と、コンピュータを操作するユーザの操作位置を中心に該表示部と略同心円上に配置された複数のスピーカとを備え、該コンピュータ本体は、媒体から得られるデータから該表示部に表示する映像の源信号を抽出すると共にサラウンドサウンドの源信号を抽出する抽出手段と、該サラウンドサウンドの源信号をデコードして複数チャンネルの音声信号に変換する処理手段とを有し、
該処理手段は、コンピュータを操作するユーザの操作位置を中心に該表示部と略同心円上に配置される複数のスピーカによる音場を補正する補正手段を有し、
前記補正手段は、スピーカとユーザとの距離が前記源信号が想定した距離よりも短い場合に、低音を強調する補正を行うことを特徴とするコンピュータ。
【請求項８】
前記表示部は１４〜１７インチのディスプレイからなり、前記同心円は前記操作位置を中心として半径が約１．０〜１．５ｍである、請求項６又は７記載のコンピュータ。
【請求項９】
前記補正手段は、前記音声信号に対して残響付加処理を施す、請求項６又は７記載のコンピュータ。
【請求項１０】
前記媒体は、情報記録媒体、放送メディア及びデジタル通信メディアから選択された１つである、請求項６又は７記載のコンピュータ。
【請求項１１】
少なくともＣＰＵを含むコンピュータ本体と、該コンピュータ本体と接続された表示部とを備え、該コンピュータ本体は、媒体から得られるデータからサラウンドサウンドの源信号を抽出する抽出手段と、該源信号をデコードして複数チャンネルの音声信号に変換する処理手段とを有し、該処理手段は、コンピュータシステムを操作するユーザの操作位置を中心に該表示部と略同心円上に配置される複数のスピーカによる音場を補正する補正手段を有し、
前記補正手段は、スピーカとユーザとの距離が前記源信号が想定した距離よりも短い場合に、音を小さくする補正を行うことを特徴とするコンピュータシステム。
【請求項１２】
少なくともＣＰＵを含むコンピュータ本体と、該コンピュータ本体と接続された表示部とを備え、該コンピュータ本体は、媒体から得られるデータからサラウンドサウンドの源信号を抽出する抽出手段と、該源信号をデコードして複数チャンネルの音声信号に変換する処理手段とを有し、該処理手段は、コンピュータシステムを操作するユーザの操作位置を中心に該表示部と略同心円上に配置される複数のスピーカによる音場を補正する補正手段を有し、
前記補正手段は、スピーカとユーザとの距離が前記源信号が想定した距離よりも短い場合に、低音を強調する補正を行うことを特徴とするコンピュータシステム。
【請求項１３】
少なくともＣＰＵを含むコンピュータ本体と、該コンピュータ本体と接続された表示部とを有するコンピュータシステムと、該コンピュータシステムを操作するユーザの操作位置を中心に該表示部と略同心円上に配置された複数のスピーカとを備え、該コンピュータ本体は、媒体から得られるデータから該表示部に表示する映像の源信号を抽出すると共にサラウンドサウンドの源信号を抽出する抽出手段と、該サラウンドサウンドの源信号をデコードして複数チャンネルの音声信号に変換する処理手段とを有し、
該処理手段は、コンピュータを操作するユーザの操作位置を中心に該表示部と略同心円上に配置される複数のスピーカによる音場を補正する補正手段を有し、
前記補正手段は、スピーカとユーザとの距離が前記源信号が想定した距離よりも短い場合に、音を小さくする補正を行うことを特徴とするデスクトップシアタシステム。
【発明の詳細な説明】
【０００１】
【発明の属する技術分野】
本発明はコンピュータ、コンピュータシステム及びデスクトップシアタシステムに係り、特に映画館の音響システムに近いサラウンドシステムを比較的簡単に自宅等で実現するコンピュータ、コンピュータシステム及びデスクトップシアタシステムに関する。
【０００２】
映画館の音響システムでは、迫力のある臨場感豊かな音を再現でき、自宅等においてもこのような臨場感豊かな音の再現が望まれている。
【０００３】
【従来の技術】
従来、映画館の音響システムの如き臨場感豊かな音の再生を可能とするホームシアタシステムが提案されている。このホームシアタシステムは、自宅のリスニングルーム内に設置されたオーディオビジュアル（ＡＶ）システムと、ＡＶシステムに接続された複数のスピーカと、テレビモニタとからなる。ＡＶシステムは、例えばビデオディスクから再生された映像信号をテレビモニタに表示すると共に、ビデオディスクから再生された音声信号を各スピーカに供給してサラウンドサウンドを実現する。この場合、各スピーカは、テレビモニタ及びリスナに対して、映画館の音響システムと実質的に同じ位置関係で配置される。
【０００４】
このようなホームシアタシステムによれば、映画館の音響システムに非常に近い臨場感豊かな音の再生が可能となる。
【０００５】
【発明が解決しようとする課題】
しかし、ホームシアタシステムは、実質的に小規模な映画館を自宅に設置することと同じであり、自宅に専用のリスニングルームを必要とするために、空間に余裕のない都心部の一軒家やマンション内には略設置不可能であるという問題があった。
【０００６】
又、サラウンドサウンドを楽しむためには、リスニングルーム内の音の反射を考慮すると、家具等は自由に置けず、壁や天井の材質もある程度制限されてしまうという問題もあった。
更に、自宅で迫力のあるサラウンドサウンドを楽しむには、他の部屋や近所に迷惑とならないように、リスニングルームに防音設備を設ける必要もあり、ホームシアタシステムは非常に高価なものとなってしまうという問題もあった。
【０００７】
そこで、本発明は、自宅等の限られた空間内でも音の反射をあまり考慮せず、高価な設備を必要とすることなく、臨場感豊かなサラウンドサウンドを実現可能なコンピュータ、コンピュータシステム及びデスクトップシアタシステムを提供することを目的とする。
【０００８】
【課題を解決するための手段】
上記の課題は、請求項１記載の、媒体から得られるデータからサラウンドサウンドの源信号を抽出する抽出手段と、該源信号をデコードして複数チャンネルの音声信号に変換する処理手段とを有し、該処理手段は、コンピュータシステムを操作するユーザの操作位置を中心に該表示部と略同心円上に配置される複数のスピーカによる音場を補正する補正手段を含むコンピュータによって達成される。
【０００９】
請求項２記載の発明では、請求項１において、前記表示部は１４〜１７インチのディスプレイからなり、前記同心円は前記操作位置を中心として半径が約１．０〜１．５ｍである。
請求項３記載の発明では、請求項１又は２において、前記補正手段は、前記音声信号の音量及び周波数特性のうち少なくとも一方を補正する。
【００１０】
請求項４記載の発明では、請求項１〜３のいずれかにおいて、前記補正手段は、前記音声信号に対して残響付加処理を施す。
請求項５記載の発明では、請求項１〜４のいずれかにおいて、前記媒体は、情報記録媒体、放送メディア及びデジタル通信メディアから選択された１つである。
【００１１】
上記の課題は、請求項６記載の、コンピュータ本体と、該コンピュータ本体と接続された表示部と、コンピュータを操作するユーザの操作位置を中心に該表示部と略同心円上に配置された複数のスピーカとを備え、該コンピュータ本体は、媒体から得られるデータから該表示部に表示する映像の源信号を抽出すると共にサラウンドサウンドの源信号を抽出する抽出手段と、該サラウンドサウンドの源信号をデコードして複数チャンネルの音声信号に変換する処理手段とを有するコンピュータによっても達成される。
【００１２】
請求項７記載の発明では、請求項６において、前記処理手段は、前記複数のスピーカによる音場を補正する補正手段を含む。
請求項８記載の発明では、請求項６又は７において、前記表示部は１４〜１７インチのディスプレイからなり、前記同心円は前記操作位置を中心として半径が約１．０〜１．５ｍである。
【００１３】
請求項９記載の発明では、請求項７又は８において、前記補正手段は、前記音声信号の音量及び周波数特性のうち少なくとも一方を補正する。
請求項１０記載の発明では、請求項７〜９のいずれかにおいて、前記補正手段は、前記音声信号に対して残響付加処理を施す。
【００１４】
請求項１１記載の発明では、請求項７〜１０のいずれかにおいて、前記媒体は、情報記録媒体、放送メディア及びデジタル通信メディアから選択された１つである。
上記の課題は、請求項１２記載の、少なくともＣＰＵを含むコンピュータ本体と、該コンピュータ本体と接続された表示部とを備え、該コンピュータ本体は、媒体から得られるデータからサラウンドサウンドの源信号を抽出する抽出手段と、該源信号をデコードして複数チャンネルの音声信号に変換する処理手段とを有し、該処理手段は、コンピュータシステムを操作するユーザの操作位置を中心に該表示部と略同心円上に配置される複数のスピーカによる音場を補正する補正手段を含むコンピュータシステムによって達成される。
【００１５】
上記の課題は、請求項１３記載の、少なくともＣＰＵを含むコンピュータ本体と、該コンピュータ本体と接続された表示部とを有するコンピュータシステムと、該コンピュータシステムを操作するユーザの操作位置を中心に該表示部と略同心円上に配置された複数のスピーカとを備え、該コンピュータ本体は、媒体から得られるデータから該表示部に表示する映像の源信号を抽出すると共にサラウンドサウンドの源信号を抽出する抽出手段と、該サラウンドサウンドの源信号をデコードして複数チャンネルの音声信号に変換する処理手段とを有するデスクトップシアタシステムによっても達成される。
【００１６】
請求項１記載の発明によれば、パーソナルコンピュータ等のコンピュータを用いて、自宅等の限られた空間内でも音の反射をあまり考慮せず、高価な設備を必要とすることなく、臨場感豊かなサラウンドサウンドを実現可能となる。
請求項２記載の発明によれば、表示部及びスピーカの操作位置に対する配置をさほど厳密に設定しなくても、手軽に臨場感豊かなサラウンドサウンドを楽しむことができる。
【００１７】
請求項３又は４記載の発明によれば、スピーカを操作位置近傍に配置したことによる音場への影響を補正し、良好なサラウンドサウンドを再現することが可能である。
請求項５記載の発明によれば、各種媒体からのデータに基づいてサラウンドサウンドを再現することができる。
【００１８】
請求項６記載の発明によれば、パーソナルコンピュータ等のコンピュータを用いて、自宅等の限られた空間内でも音の反射をあまり考慮せず、高価な設備を必要とすることなく、臨場感豊かなサラウンドサウンドを実現可能となる。
請求項７、９又は１０記載の発明によれば、スピーカを操作位置近傍に配置したことによる音場への影響を補正し、良好なサラウンドサウンドを再現することが可能である。
【００１９】
請求項８記載の発明によれば、表示部及びスピーカの操作位置に対する配置をさほど厳密に設定しなくても、手軽に臨場感豊かなサラウンドサウンドを楽しむことができる。
請求項１１記載の発明によれば、各種媒体からのデータに基づいてサラウンドサウンドを再現することができる。
【００２０】
請求項１２記載の発明によれば、パーソナルコンピュータ等のコンピュータシステムを用いて、自宅等の限られた空間内でも音の反射をあまり考慮せず、高価な設備を必要とすることなく、臨場感豊かなサラウンドサウンドを実現可能となる。
【００２１】
請求項１３記載の発明によれば、パーソナルコンピュータ等のコンピュータシステムを用いて、自宅等の限られた空間内でも音の反射をあまり考慮せず、高価な設備を必要とすることなく、臨場感豊かなサラウンドサウンドを実現可能となる。
【００２２】
従って、本発明によれば、自宅等の限られた空間内でも音の反射をあまり考慮せず、高価な設備を必要とすることなく、臨場感豊かなサラウンドサウンドを実現可能である。
【００２３】
【発明の実施の形態】
本発明になるコンピュータ及びコンピュータシステムは、サラウンドサウンドを再生するための音声信号処理系を有することを特徴とする。又、本発明になるコンピュータシステム及びデスクトップシアタシステムは、自宅の限られた空間内でも臨場感豊かなサラウンドサウンドを実現できるように、音声信号を処理する音声信号処理系を有することを特徴とする。
【００２４】
本発明になるコンピュータ及びコンピュータシステムによれば、パーソナルコンピュータ等を用いて比較的簡単にサラウンドサウンドを再生することができ、例えばビデオディスクやゲームソフトを格納しているＣＤ−ＲＯＭ等の記録媒体を再生中にサラウンドサウンドを楽しむことができる。
【００２５】
本発明になるコンピュータシステム及びデスクトップシアタシステムによれば、自宅の限られた空間内でも高価な設備を必要とすることなく、比較的簡単に臨場感豊かなサラウンドサウンドを実現することができる。
【００２６】
【実施例】
先ず、本発明になるコンピュータシステムの第１実施例を説明する。コンピュータシステムの第１実施例では、本発明がパーソナルコンピュータ（パソコン）に適用されている。又、コンピュータシステムの第１実施例は、本発明になるデスクトップシアタシステムの第１実施例に適用される。
【００２７】
図１は、コンピュータシステムの第１実施例の要部の構成を示すブロック図である。同図中、パソコンシステムは、パソコン本体１と表示部２５とからなる。パソコン本体１は、少なくとも記録媒体から情報を再生可能な記録媒体ドライバ１１と、媒体インタフェース１２と、映像源信号抽出部１３と、映像処理部１４と、表示処理部１５と、パソコン用データ抽出部１６と、サラウンドサウンド源信号抽出部１７と、サラウンドサウンド処理部１８と、アンプ１９と、記憶部２０と、中央処理装置（ＣＰＵ）２１と、パソコンサウンド処理部２２と、パソコンバス２３とからなる。
【００２８】
記録媒体ドライバ１１は、フロッピーディスク等の磁気ディスク、ＣＤ−ＲＯＭ、光ディスク、光磁気ディスク、デジタルビデオディスク等の記録媒体（図示せず）から情報を再生する周知の装置であり、記録媒体に情報を記録する機能を備えていても良い。
【００２９】
パソコンバス２３は、表示処理部１５と、パソコン用データ抽出部１６と、記憶部２０と、ＣＰＵ２１と、パソコンサウンド処理部２２とを接続している。
表示部２５は、パソコン本体１の表示処理部１５に接続されている。又、キーボード２６は、パソコン本体１のパソコンバス２３に接続されている。キーボード２６の他に、マウス等のポインティングデバイス（図示せず）をパソコンバス２３に接続しても良い。
【００３０】
記録媒体ドライバ１１により記録媒体から再生された再生データは、媒体インタフェース１２に供給され、各種信号が再生される。映像源信号抽出部１３は、媒体インタフェース１２からの再生データから映像源信号を抽出し、映像源信号を映像処理部１４に供給する。映像処理部１４は、映像源信号を表示部２５に表示するべき映像信号に変換する。表示処理部１５は、ＣＰＵ２１の制御下で、映像信号を表示部２５上での表示に適した信号形式に変換して表示部２５に供給する。
【００３１】
パソコン用データ抽出部１６は、媒体インタフェース１２からの再生データからパソコン用データを抽出し、パソコンバス２３を介してＣＰＵ２１に出力する。従って、例えばパソコン用データを映像信号と合成して表示部２５に表示する場合には、パソコン用データがＣＰＵ２１の制御下でパソコンバス２３を介して表示処理部１５に供給される。この場合、表示処理部１５はパソコン用データと映像処理部１４からの映像信号を合成して、合成信号を表示部２５に供給することで合成画像を表示する。
【００３２】
サラウンドサウンド源信号抽出部１７は、媒体インタフェース１２からの再生データからサラウンドサウンド源信号を抽出してサラウンドサウンド処理部１８に供給する。サラウンドサウンド処理部１８は、サラウンドサウンド源信号抽出部１７からのサラウンドサウンド源信号を後述する複数のスピーカＲ，Ｌ，Ｃ，ＲＲ，ＲＬ，ＳＢに供給するための音声信号にデコードする。このようにデコードされた複数チャンネルの音声信号は、アンプ１９で増幅されてから対応するスピーカＲ，Ｌ，Ｃ，ＲＲ，ＲＬ，ＳＢに供給される。
【００３３】
記憶部２０は、ＣＰＵ２１がキーボード２６から入力される情報に基づいて実行するプログラムや各種データを格納する。パソコンサラウンド処理部２２は、ＣＰＵ２１が発生する音声データ又はパソコン用データ抽出部１６からのパソコン用データに基づいた音声データにサラウンド処理を施し、複数チャンネルの音声信号を出力する。パソコンサラウンド処理部２２からの複数チャンネルの音声信号も、アンプ１９で増幅されてから対応するスピーカＲ，Ｌ，Ｃ，ＲＲ，ＲＬ，ＳＢに供給される。
【００３４】
尚、映像処理部１４としては、周知の構成のデコーダを使用でき、例えばＭＰＥＧ−１方式やＭＰＥＧ−２方式等のデジタル方式を採用する映像処理部を使用可能である。
他方、サラウンドサウンド処理部１８としても、周知の構成のデコーダを使用でき、例えばアナログ方式のドルビープロロジックやデジタル方式のＡＣ−３を採用するサラウンドサウンド処理部を使用可能である。本実施例では、説明の便宜上、映像処理部１４はＡＣ−３を採用する。
【００３５】
本実施例では、媒体インタフェース１２と、映像源信号抽出部１３と、映像処理部１４と、表示処理部１５と、パソコン用データ抽出部１６と、サラウンドサウンド源信号抽出部１７と、サラウンドサウンド処理部１８と、アンプ１９とは、単一の集積回路（ＩＣ）ユニットを構成する。
【００３６】
図２は、本発明になるデスクトップシアタシステムの第１実施例の概略構成を示す図である。同図中、デスクトップシアタシステム３０は、部屋３４全体を占有することなく、部屋３４の一部のみを占有する。本実施例では、デスクトップシアタシステム３０は部屋３４の右奥角部分のみを占有する。
【００３７】
デスクトップシアタシステム３０は、図１に示すパソコン本体１、表示部２５及びキーボード２５からなるシステム本体３１と、スピーカＲ，Ｌ，Ｃ，ＲＲ，ＲＬ，ＳＢとからなる。本実施例では、システム本体３１内の映像処理部１４がＡＣ−３を採用するので、６個のスピーカＲ，Ｌ，Ｃ，ＲＲ，ＲＬ，ＳＢを、システム本体３１の表示部２５及びリスナ（ユーザ）３５に対して図２に示すように配置する。左スピーカＬと、後左スピーカＲＬと、後右スピーカＲＲと、右スピーカＲと、センタスピーカＣとは、音像の方向とリスナ３５の位置の音場を再現するために用いられる。サブウーハＳＢは、特に迫力のある低音を再生するために用いられる。低音には方向感がないので、サブウーハＳＢは１個しか用いられない。尚、システム本体３１の表示部２５は、リスナ３５の前方で、且つ、右スピーカＲと左スピーカＬとの中央に配置される。
【００３８】
リスナ３５は、通常のパソコンシステムの操作時と同様に、キーボード２６を操作可能であり、且つ、表示部２５の略正面の操作位置に座る。つまり、テレビモニタの代わりに、パソコンの表示部２５を使用する。従って、リスナ３５と表示部２５及びスピーカＲ，Ｌ，Ｃ，ＲＲ，ＲＬ，ＳＢとの間の距離は、比較的近く、上記ホームシアタシステム等と比べると非常に短い。このため、各スピーカＲ，Ｌ，Ｃ，ＲＲ，ＲＬ，ＳＢからの音量は比較的小さくても十分リスナ３５まで届く。
【００３９】
本実施例によれば、シアタシステム専用の大きなリスニングルームを必要とせず、リスナ３５は比較的小さな音量で迫力のある臨場感豊かな音、即ち、サラウンドサウンドを楽しむことができる。又、デスクトップシアタシステム３０は、パソコンシステム１を用いているので、リスナ３５はパソコンの種々の機能を利用してデスクトップシアタシステム３０を柔軟に操作することも可能である。更に、サラウンドサウンドは、比較的小さな音量で再生されるので、音場再生に悪影響を及ぼす壁や家具等からの反射を少なくすることができ、音の反射を考慮しなくても十分良好なサラウンドサウンドを再生可能である。又、サラウンドサウンドを比較的小さな音量で再生するので、部屋３４に防音設備等を特別設ける必要もなく、良質なサラウンドサウンドを安価、且つ、手軽に楽しめる。
【００４０】
サラウンドサウンドの再生に適したリスナと表示部及び各スピーカとの位置関係は、例えばＩｏａｎ  Ａｌｌｅｎの「Ｍａｔｃｈｉｎｇ  ｔｈｅ  Ｓｏｕｎｄｔｏ  ｔｈｅ  Ｐｉｃｔｕｒｅ」，ＡＥＳ  ９ｔｈ  Ｉｎｔｅｒｎａｔｉｏｎａｌ  Ｃｏｎｆｅｒｅｎｃｅ，ｐｐ．１７７〜１８６等に提案されている。この提案されている位置関係を参考にすると、本実施例におけるリスナ３５と表示部２５及びスピーカＲ，Ｌ，Ｃ，ＲＲ，ＲＬ，ＳＢとの位置関係は、図３に示すようになる。図３中、図１及び図２と同一部分には同一符号を付し、その説明は省略する。
【００４１】
パソコンの表示部２５は、一般的には１４〜１７インチのディスプレイを有するので、表示部２５の横幅は約２６〜３２ｃｍである。図３に示すように、表示部２５の両側に前の左右のスピーカＬ，Ｒが配置される場合、表示部２５の画面の視野角は約１３．９度が良いとされているので、表示部２５とリスナ３５との間の距離は、約１０５〜１３０ｃｍが最適である。又、後ろ左右スピーカＲＬ，ＲＲの開き角は約１１０度が良いとされており、前スピーカＬ，Ｒと後スピーカＬＲ，ＲＲとの間の約７３％の位置にリスナ３５が位置するのが良いとされているので、各後スピーカＲＬ，ＲＲ間の距離は約６６〜８８ｃｍが最適である。従って、リスナ３５、表示部２５及びスピーカＲ，Ｌ，Ｃ，ＲＲ，ＲＬ，ＳＢの理想的な配置は、図３に示す如き配置となる。
【００４２】
ところで、理想的には図３に示す如き厳密な配置を採用することが望ましいが、サラウンドサウンドを手軽に楽しもうとする場合には、このような厳密な配置は適さない。そこで、デスクトップシアタシステムの第１実施例の変形例では、サブウーハＳＢを除く各スピーカＲ，Ｌ，Ｃ，ＲＲ，ＲＬ及び表示部２５を、図４に示すようにリスナ３５を中心として半径が約１．５ｍの同心円上に配置する。このような簡単なスピーカ配置を採用しても、実用上全く問題のない良好なサラウンドサウンドを実現できる。尚、サブウーハＳＢは、方向感のない低音を再生するので、特に位置を一義的に決める必要はないが、本変形例では、上記第１実施例と同様に、表示部２５の左後方に配置されている。
【００４３】
尚、表示部２５の横幅が約２６〜３２ｃｍの場合、サブウーハＳＢを除く各スピーカＲ，Ｌ，Ｃ，ＲＲ，ＲＬ及び表示部２５は、リスナ３５を中心として半径が約１．０〜１．５ｍの範囲内の同心円上に配置しても上記と同様の効果を得ることができる。
【００４４】
次に、本発明になるコンピュータシステムの第２〜第４実施例を説明する。コンピュータシステムの第２〜第４実施例では、本発明がパソコンに適用されている。又、コンピュータシステムの第２〜第４実施例は、本発明になるデスクトップシアタシステムの第２〜第４実施例に適用される。
【００４５】
図５は、コンピュータシステムの第２〜第４実施例の要部の構成を示すブロック図である。同図中、図１と同一部分には同一符号を付し、その説明は省略する。図５に示すように、コンピュータシステムの第２〜第４実施例では、サラウンドサウンド処理部１８とアンプ１９との間に、音場補正部２７が設けられている。その他の部分は、上記コンピュータシステムの第１実施例と同じである。音場補正部２７は、スピーカＲ，Ｌ，Ｃ，ＲＲ，ＲＬ，ＳＢを比較的リスナ３５の近くに配置したことによる音場への影響を補正するために設けられる。
【００４６】
コンピュータシステム及びデスクトップシアタシステムの第２実施例では、音場補正部２７は音量を補正する手段からなる。
一般のホームシアタシステムでは、例えばリスナがスピーカから約３ｍ離れた位置で視聴することを想定して音量設定が行われているものとすると、デスクトップシアタシステム３０においてこれと同じ音量設定で音を再生すると、リスナ３５と各スピーカＲ，Ｌ，Ｃ，ＲＲ，ＲＬとの間の距離Ｘｍが図４に示すように約１．５ｍ又はこれ以下であると、約３ｍの場合の音量設定では音量が大きすぎてしまう。そこで、第２実施例では、各スピーカＲ，Ｌ，Ｃ，ＲＲ，ＲＬ，ＳＢからの音量をデスクトップシアタシステム３０に適した音量に補正する。
【００４７】
音の振幅は、距離に反比例する。そこで、上記の如くリスナとスピーカとの間の距離が約３ｍに設定されたホームシアタシステムの場合と同様に処理された音声信号を、Ｘｍが約１ｍに設定されたデスクトップシアタシステム３０で再生する場合には、音声信号の振幅を約１／３倍に補正すれば良い。従って、リスナとスピーカとの間の距離が約３ｍに設定されたホームシアタシステムの場合と同様に処理された音声信号が供給されると、音場補正部２７は各チャンネルの音声信号のゲインを例えばアッテネータを使用して約１／３倍にゲイン補正することで音量補正を行う。これにより、各スピーカＲ，Ｌ，Ｃ，ＲＲ，ＲＬ，ＳＢからは、デスクトップシアタシステム３０におけるリスナ３５及び各スピーカＲ，Ｌ，Ｃ，ＲＲ，ＲＬ，ＳＢの配置に適した音量で各チャンネルの音が再生される。
【００４８】
上記の如きゲイン補正を行う回路自体は周知であるので、その具体的な構成の図示及びその動作説明は本明細書では省略する。
コンピュータシステム及びデスクトップシアタシステムの第３実施例では、音場補正部２７は各スピーカと部屋の壁との間の距離に応じて生じる周波数特性の差を補正する手段からなる。
【００４９】
ホームシアタシステムでは、リスナとスピーカとの間の距離に比べると、スピーカとリスニングルームの壁との間の距離の方が短い。この場合、壁によるスピーカの鏡像効果（バフル効果）により、低音域が強められる。一般のスピーカは、このバフル効果を含めて略フラットな特性となるように設計されている。
【００５０】
しかし、デスクトップシアタシステム３０の場合、スピーカからの音量は小さく、リスナとスピーカとの間の距離がスピーカと部屋の壁との間の距離より短い場合には、上記バフル効果はなくなってしまう。このため、通常のアンプとスピーカをそのまま用いたのでは、低音域が著しく不足してしまう。
【００５１】
図６は、ホームシアタシステムにおけるバフル効果を説明する図である。スピーカ１０１の近傍に反射性物体であるリスニングルームの壁１０２が存在すると、スピーカ１０１の特性の特に低音特性が変化する。スピーカ１０１に接近して無限大のバフルが存在すると、スピーカ１０１からｒ１の位置、即ち、リスナ３５の位置で発生する音圧Ｐは、バフルのないときの自由音場での音圧Ｐ０より次の式（１）のように変化する。
【００５２】
【数１】
0003885976.tif 000002
【００５３】
上記式（１）中、ｒ２はバフル面に対してのスピーカ１０１の鏡像１０３とリスナ３５の位置との間の距離を示す。
スピーカ１０１が壁１０２に近接して配置され、リスナ３５の位置がスピーカ１０１と壁１０２との間の距離に比べて遠く離れている場合には、上記式（１）は次の式（２）で近似でき、低音域において２倍の音圧上昇となることがわかる。
【００５４】
【数２】
0003885976.tif 000003
【００５５】
そこで、コンピュータシステム及びデスクトップシアタシステムの第３実施例では、理想的には上記式（１）を実現するフィルタを周波数特性の補正手段として音場補正部２７に設ける。つまり、図７に示すように、音声信号の各チャンネルにおいて、低音域を約２倍（６ｄＢ）強調するフィルタ又はアンプにより音場補正部２７を構成する。
【００５６】
上記の如き低音域の強調を行う回路自体は周知であるので、その具体的な構成の図示及びその動作説明は本明細書では省略する。
コンピュータシステム及びデスクトップシアタシステムの第４実施例では、音場補正部２７は各スピーカと部屋の壁との間の距離に応じて生じる反射音の違いを補正する手段からなる。
【００５７】
一般のホームシアタシステムでは、図８に示すように、スピーカ１０１から出た音がリスニングルームの壁１０２に反射し、あらゆる方法からリスナ３５に届く。同図中、Ｉ０は直接波、Ｉ１〜Ｉ４は一次反射波、即ち、壁１０２に１回反射した音波である。図９は、このようなホームシアタシステムにおけるリスナ３５の位置での残響を示す図であり、同図中、縦軸は反射波を示し、横軸は時間を示す。
【００５８】
上記ホームシアタシステムに対し、デスクトップシアタシステム３０では、各スピーカＲ，Ｌ，Ｃ，ＲＲ，ＲＬ，ＳＢとリスナ３５との間の距離がホームシアタシステムの場合と比べるとかなり短いので、直接波がリスナ３５へ届く時間がホームシアタシステムの場合より早くなる。このため、直接波がリスナ３５へ届く時間を遅らせる必要がある。又、上記の如く、各スピーカＲ，Ｌ，Ｃ，ＲＲ，ＲＬ，ＳＢを小音量で駆動するため、反射音はかなり小さくなり、音の豊かさ、即ち、部屋による残響の付加が減ってしまう。そこで、本実施例では、部屋による残響を人工的に付加する残響付加処理を音場補正部２７により行う。
【００５９】
具体的には、残響付加処理は、１つのスピーカから出た音の反射波を他のスピーカから出すことで実現する。目的の反射波の方向に他のスピーカがない場合には、目的の反射波の方向の両側にあるスピーカからパンポット処理（内分処理）を施された音を出すことで残響付加処理を実現する。
【００６０】
図１０は、残響付加処理を行う音場補正部２７の構成の一実施例を示すブロック図である。同図中、音場補正部２７は、大略残響生成部２７１〜２７５と、遅延回路３７１〜３７５と、混合器４７１〜４７５とからなる。遅延回路３７１〜３７５は、夫々残響生成部２７１〜２７５と同じ遅延時間を有する。同図では、説明の便宜上、右前のスピーカＲへ供給するチャンネルの音声信号の処理を説明するための接続しか示されていないが、他のスピーカＬ，Ｃ，ＲＲ，ＲＬ，ＳＢへ供給するチャンネルの音声信号に対しても同様の接続がなされている。
【００６１】
右前のスピーカＲへ供給するチャンネルの音声信号は、残響生成部２７１を介して混合器４７１に供給され、他のスピーカＬ，Ｃ，ＲＲ，ＲＬへ供給するチャンネルの音声信号と混合されてから右前のスピーカＲに供給される。又、右前のスピーカＲへ供給するチャンネルの音声信号は、残響生成部２７２〜２７５にも供給され、残響生成部２７２〜２７５の出力信号は対応する混合器４７２〜２７５に供給される。混合器４７２は、遅延回路３７１を介して得られる左前のスピーカＬに供給するチャンネルの音声信号と残響生成部２７２の出力信号を混合して左前のスピーカＬに供給する。混合器４７３は、遅延回路３７２を介して得られる右後のスピーカＲＲに供給するチャンネルの音声信号と残響生成部２７３の出力信号を混合して右後のスピーカＲＲに供給する。混合器４７４は、遅延回路３７３を介して得られる左後のスピーカＲＬに供給するチャンネルの音声信号と残響生成部２７４の出力信号を混合して左後のスピーカＲＬに供給する。混合器４７５は、遅延回路３７４を介して得られる中央のスピーカＣに供給するチャンネルの音声信号と残響生成部２７５の出力信号を混合して中央のスピーカＣに供給する。サブウーハＳＢに供給するチャンネルの音声信号は、遅延回路３７５で遅延されて残響付加処理を施されたチャンネルの音声信号とタイミングを合わされてからサブウーハＳＢに供給される。
【００６２】
図１１及び図１２は、夫々デスクトップシアタシステムにおいて図９に示す如き残響を再現する場合の残響生成部２７１〜２７５のインパルス応答を示す図である。図１１及び図１２では、一次反射波までを扱った場合を示しており、同図中、縦軸は反射波を示し、横軸は時間を示す。図１１（ａ）は残響生成部２７２のインパルス特性を示し、同図（ｂ）は残響生成部２７５のインパルス特性を示し、同図（ｃ）は残響生成部２７１のインパルス特性を示す。又、図１２（ａ）は残響生成部２７３のインパルス特性を示し、同図（ｂ）は残響生成部２７４のインパルス特性を示す。尚、この場合のデスクトップシアタシステム３０における各スピーカＲ，Ｌ，Ｃ，ＲＲ，ＲＬの配置を図８中梨地で示す。
【００６３】
本実施例によれば、デスクトップシアタシステム３０が部屋３４内の図１３に示す右奥位置に設置されている場合、上記残響生成部２７１〜２７５のインパルス特性を適切に設定することにより、仮想的なリスニングルーム３４０内で仮想スピーカＲｉ，Ｌｉ，Ｃｉ，ＲＲｉ，ＲＬｉ，ＳＢｉが同図に示す位置に配置されているかの如く音がリスナ３５に届くように音場を補正することが可能となる。
【００６４】
図１４は、コンピュータシステムの第４実施例の変形例の要部の構成を示すブロック図である。同図中、図５と同一部分には同一符号を付し、その説明は省略する。本変形例では、音場補正部２７がパソコンバス２３に接続されている。
図１０に示した音場補正部２７の残響生成部２７１〜２７５のインパルス応答は、デスクトップシアタシステム３０を部屋３４のどの位置に設置するかによって変化させることが望ましい。そこで、本変形例では、リスナ３５がキーボード２６からデスクトップシアタシステム３０が設置される部屋３４に関する情報やデスクトップシアタシステム３０の配置を入力すると、ＣＰＵ２１が入力情報に基づいて残響生成部２７１〜２７５のインパルス応答を適切に自動設定する。これにより、デスクトップシアタシステム３０を部屋３４のどの位置に設置しても、非常に良好なサラウンドサウンドを実現することが可能となる。
【００６５】
尚、上記第２〜第４実施例のうち、２以上の実施例を組み合わせて音場補正を行っても良いことは言うまでもない。
次に、本発明になるコンピュータシステムの第５実施例を説明する。コンピュータシステムの第５実施例では、本発明がパソコンに適用されている。又、コンピュータシステムの第５実施例は、本発明になるデスクトップシアタシステムの第５実施例に適用される。
【００６６】
図１５は、コンピュータシステムの第５実施例の要部の構成を示すブロック図である。同図中、図５と同一部分には同一符号を付し、その説明は省略する。
本実施例では、図１５に示す如く、記録媒体ドライバ１１及び媒体インタフェース１２の代わりに、チューナ２０１及びチューナインタフェース２０２が設けられている。テレビ放送やラジオ放送等の放送メディア（媒体）からのデータは、アンテナ又は有線（ＣＡＴＶ）を介してチューナ２０１で受信される。チューナ２０１で受信されたデータは、チューナインタフェース２０２に供給され、各種信号が再生される。チューナインタフェース２０２からのデータは、上記第１〜第４実施例の場合と同様に、映像源信号抽出部１３と、パソコン用データ抽出部１６と、サラウンドサウンド源信号抽出部１７とに供給される。
【００６７】
次に、本発明になるコンピュータシステムの第６実施例を説明する。コンピュータシステムの第６実施例では、本発明がパソコンに適用されている。又、コンピュータシステムの第６実施例は、本発明になるデスクトップシアタシステムの第６実施例に適用される。
【００６８】
図１６は、コンピュータシステムの第６実施例の要部の構成を示すブロック図である。同図中、図５と同一部分には同一符号を付し、その説明は省略する。
本実施例では、図１６に示す如く、記録媒体ドライバ１１及び媒体インタフェース１２の代わりに、デジタル通信インタフェース２１１が設けられている。このデジタル通信インタフェース２１１は、パソコンバス２３に接続されているので、ＣＰＵ２１は受信しているデータがどのデジタル通信メディアからのデータであるかを判別可能であり、判別結果に応じてデジタル通信インタフェース２１１の設定を制御することもできる。電話回線網、ＩＳＤＮやインターネット等のデジタル通信メディア（媒体）からのデータは、デジタル通信インタフェース２１１に入力される。デジタル通信インタフェース２１１に入力されたデータは、上記第１〜第４実施例の場合と同様に、映像源信号抽出部１３と、パソコン用データ抽出部１６と、サラウンドサウンド源信号抽出部１７とに供給される。
【００６９】
尚、上記第１実施例の変形例は、上記第２〜第６実施例及び第４実施例の変形例にも適用可能である。又、コンピュータシステムのコンピュータも本発明に包含されることは言うまでもない。
又、上記各実施例では、スピーカが６つ使用される場合について説明したが、スピーカの数は６つに限定されるものではなく、サラウンドサウンドを実現し得る数であればスピーカは６つ以上使用しても良い。
【００７０】
以上、本発明を実施例により説明したが、本発明は上記実施例に限定されるものではなく、本発明の範囲内で種々の変形及び改良が可能であることは言うまでもない。
【００７１】
【発明の効果】
請求項１記載の発明によれば、パーソナルコンピュータ等のコンピュータを用いて、自宅等の限られた空間内でも音の反射をあまり考慮せず、高価な設備を必要とすることなく、臨場感豊かなサラウンドサウンドを実現可能となる。
【００７２】
請求項２記載の発明によれば、表示部及びスピーカの操作位置に対する配置をさほど厳密に設定しなくても、手軽に臨場感豊かなサラウンドサウンドを楽しむことができる。
請求項３又は４記載の発明によれば、スピーカを操作位置近傍に配置したことによる音場への影響を補正し、良好なサラウンドサウンドを再現することが可能である。
【００７３】
請求項５記載の発明によれば、各種媒体からのデータに基づいてサラウンドサウンドを再現することができる。
請求項６記載の発明によれば、パーソナルコンピュータ等のコンピュータを用いて、自宅等の限られた空間内でも音の反射をあまり考慮せず、高価な設備を必要とすることなく、臨場感豊かなサラウンドサウンドを実現可能となる。
【００７４】
請求項７、９又は１０記載の発明によれば、スピーカを操作位置近傍に配置したことによる音場への影響を補正し、良好なサラウンドサウンドを再現することが可能である。
請求項８記載の発明によれば、表示部及びスピーカの操作位置に対する配置をさほど厳密に設定しなくても、手軽に臨場感豊かなサラウンドサウンドを楽しむことができる。
【００７５】
請求項１１記載の発明によれば、各種媒体からのデータに基づいてサラウンドサウンドを再現することができる。
請求項１２記載の発明によれば、パーソナルコンピュータ等のコンピュータシステムを用いて、自宅等の限られた空間内でも音の反射をあまり考慮せず、高価な設備を必要とすることなく、臨場感豊かなサラウンドサウンドを実現可能となる。
【００７６】
請求項１３記載の発明によれば、パーソナルコンピュータ等のコンピュータシステムを用いて、自宅等の限られた空間内でも音の反射をあまり考慮せず、高価な設備を必要とすることなく、臨場感豊かなサラウンドサウンドを実現可能となる。
【００７７】
従って、本発明によれば、自宅等の限られた空間内でも音の反射をあまり考慮せず、高価な設備を必要とすることなく、臨場感豊かなサラウンドサウンドを実現可能である。
【図面の簡単な説明】
【図１】本発明になるコンピュータシステムの第１実施例の要部の構成を示すブロック図である。
【図２】本発明になるデスクトップシアタシステムの第１実施例の概略構成を示す図である。
【図３】サラウンドサウンドの再生に適したリスナと表示部及び各スピーカとの位置関係を説明する図である。
【図４】デスクトップシアタシステムの第１実施例の変形例の概略構成を示す図である。
【図５】本発明になるコンピュータシステムの第２〜第４実施例の要部の構成を示すブロック図である。
【図６】ホームシアタシステムにおけるバフル効果を説明する図である。
【図７】音声信号の周波数特性を補正するフィルタの特性を示す図である。
【図８】ホームシアタシステムにおけるリスナの位置での残響を説明する図である。
【図９】ホームシアタシステムにおけるリスナの位置での残響を示す図である。
【図１０】残響付加処理を行う音場補正部の構成の一実施例を示すブロック図である。
【図１１】デスクトップシアタシステムにおいて図９に示す如き残響を再現する場合の残響生成部のインパルス応答を示す図である。
【図１２】デスクトップシアタシステムにおいて図９に示す如き残響を再現する場合の残響生成部のインパルス応答を示す図である。
【図１３】デスクトップシアタシステムに対する仮想的なリスニングルーム及び仮想スピーカの位置を示す図である。
【図１４】コンピュータシステムの第４実施例の変形例の要部の構成を示すブロック図である。
【図１５】本発明になるコンピュータシステムの第５実施例の要部の構成を示すブロック図である。
【図１６】本発明になるコンピュータシステムの第６実施例の要部の構成を示すブロック図である。
【符号の説明】
１      システム本体
１１      記録媒体ドライブ
１２      媒体インタフェース
１３      映像源信号抽出部
１４      映像処理部
１５      表示処理部
１６      パソコン用データ抽出部
１７      サラウンドサウンド源信号抽出部
１８      サラウンドサウンド処理部
１９      アンプ
２０      記憶部
２１      ＣＰＵ
２２      パソコンサウンド処理部
２３      パソコンバス
２５      表示部
２６      キーボード
２７      音場補正部
３０      デスクトップシアタシステム
３１      システム本体
３４      部屋
３５      リスナ
２０１      チューナ
２０２      チューナインタフェース
２１１      デジタル通信インタフェース
Ｒ，Ｌ，Ｃ，ＲＲ，ＲＬ，ＳＢ      スピーカ
【図１】
0003885976.tif 000004
【図２】
0003885976.tif 000005
【図３】
0003885976.tif 000006
【図４】
0003885976.tif 000007
【図５】
0003885976.tif 000008
【図６】
0003885976.tif 000009
【図７】
0003885976.tif 000010
【図８】
0003885976.tif 000011
【図９】
0003885976.tif 000012
【図１０】
0003885976.tif 000013
【図１１】
0003885976.tif 000014
【図１２】
0003885976.tif 000015
【図１３】
0003885976.tif 000016
【図１４】
0003885976.tif 000017
【図１５】
0003885976.tif 000018
【図１６】
0003885976.tif 000019